(57)【要約】【課題】  棚板をがたつくことなく取付けることのできる、新しい棚板取付け構造を提供する。【解決手段】  棚板受具（１）に形成されている前面開口部（１２）を有する挿入部（１１）に、棚板（２）を挿入してビス（５）にて取付けてなる棚板取付け構造において、棚板受具（１）の挿入部（１１）の奥部（１３）には、挿入部（１１）の前面開口部（１２）側から奥部（１３）側に向かう上り傾斜が形成された勾配部（１４）が設けられ、棚板（２）の後端部（２１）には、勾配部（１４）の傾斜と対応している傾斜が形成されたテーパー部（２２）が設けられていることを特徴とする。【選択図】図１
2005177216.tif 000002
【特許請求の範囲】
【請求項１】
棚板受具に形成されている前面開口部を有する挿入部に、棚板を挿入してビスにて取付けてなる棚板取付け構造において、棚板受具の挿入部の奥部には、挿入部の前面開口部側から奥部側に向かう上り傾斜が形成された勾配部が設けられ、棚板の後端部には、勾配部の傾斜と対応している傾斜が形成されたテーパー部が設けられていることを特徴とする棚板取付け構造。
【発明の詳細な説明】
【技術分野】
【０００１】
この出願の発明は、棚板取付け構造に関するものである。さらに詳しくは、この出願の発明は、棚板をがたつくことなく取付けることのできる、新しい棚板取付け構造に関するものである。
【背景技術】
【０００２】
従来、浴室等の壁面に設置されるカウンター天板を構成する棚板を取付ける場合には、浴室の壁面に取付けたカウンター支持キャリアの上面に棚板を載置して、ビスにて取付けてなるものが知られている（たとえば、特許文献１参照）。
【０００３】
また、図６に例示したように、浴室等の壁面（ア）にビス（イ）にて固定された棚板受具（ウ）とこれに取付けられる棚板（エ）とからなり、棚板受具（ウ）に形成されている前面開口部（オ）を有する挿入部（カ）に棚板（エ）を挿入して、ビス（キ）にて取付けてなるものも知られている。
【特許文献１】特開平９−１３７０６号公報
【発明の開示】
【発明が解決しようとする課題】
【０００４】
しかしながら、上記カウンター支持キャリアによる棚板取付け構造の場合には、棚板をカウンター支持キャリア上に載置して取付けているだけであるので、長期間の使用に際して、棚板にがたつきを生じ、不安感を与えるという問題があった。
【０００５】
また、図６に例示した棚板取付け構造の場合には、棚板（エ）をスムーズに棚板受具（ウ）に挿入するために遊び（ク）を設ける必要があり、特に、棚板（エ）や棚板受具（ウ）が製造上のばらつきによって寸法が変動した場合に、棚板受具（ウ）と棚板（エ）との間の遊び（ク）が大きくなり、棚板（エ）ががたつき、不安感を与えるという問題があった。
【０００６】
そこで、以上のとおりの事情に鑑み、この出願の発明は、従来の問題点を解消して、棚板をがたつくことなく取付けることのできる、新しい棚板取付け構造を提供することを課題としている。
【課題を解決するための手段】
【０００７】
この出願の発明は、上記の課題を解決するものとして、棚板受具に形成されている前面開口部を有する挿入部に、棚板を挿入してビスにて取付けてなる棚板取付け構造において、棚板受具の挿入部の奥部には、挿入部の前面開口部側から奥部側に向かう上り傾斜が形成された勾配部が設けられ、棚板の後端部には、勾配部の傾斜と対応している傾斜が形成されたテーパー部が設けられていることを特徴とする棚板取付け構造を提供する。
【発明の効果】
【０００８】
上記のとおりのこの出願の発明の棚板取付け構造によれば、棚板をがたつくことなく取付けることができる。
【発明を実施するための最良の形態】
【０００９】
この出願の発明は、上記のとおりの特徴をもつものであるが、以下に、添付した図面に沿って、この出願の発明の実施形態について詳細かつ具体的に説明する。
【００１０】
図１は、この出願の発明の一実施形態を模式的に例示した一部分解断面図である。また、図２は、図１の実施形態を模式的に例示した一部分解全体斜視図である。
【００１１】
この出願の発明の棚板取付け構造は、図１および図２に例示したとおり、浴室等の壁面（３）にネジ等のビス（４）で取付け固定されている棚板受具（１）に小物類を載置することのできる棚板（２）を、がたつくことなく取付けるための取付け構造である。棚板受具（１）には、図１に例示したように、前面開口部（１２）を有する断面が略コの字型の挿入部（１１）が形成されており、この挿入部（１１）に棚板（２）の後端部（２１）を挿入して、棚板受具（１）の下方から、棚板受具（１）を挿通して、棚板（２）に設けられているビス受部のブッシュ（２３）の範囲内にネジ等のビス（５）が締め付けられて取付けられている。もちろん、挿入部（１１）の前面開口部（１２）の形状は、棚板（２）の後端部（２１）の形状に合わせて形成されていることが好ましいため、断面が略コの字型でなくともよい。
【００１２】
そして、この棚板受具（１）の挿入部（１１）の奥部（１３）の底面には、挿入部（１１）の前面開口部（１２）側から奥部（１３）側に向かう上り傾斜が形成された勾配部（１４）が設けられている。また、棚板（２）の後端部（２１）の裏面には、テーパー部（２２）が設けられ、このテーパー部（２２）は、棚板受具（１）に設けられている勾配部（１４）の傾斜と対応した傾斜が形成されている。これによって、勾配部（１４）とテーパー部（２２）とを、確実に当接させることができる。このような取付け構造とすることにより、棚板（２）と棚板受具（１）とにおける遊びの大きさに関わらず、棚板（２）をがたつくことなく取付けることができる。
【００１３】
また、図２に例示したとおり、棚板（２）を棚板受具（１）に挿入して取付けた後、棚板受具（１）の左右両末端開口部を隠蔽して、外観を損なわないようにする目的から、左右両末端開口部にはエンドキャップ（６）が圧入され嵌め込まれている。
【００１４】
図３から図５は、棚板（２）をスムーズに棚板受具（１）に挿入するための遊び（S）を設ける際において、棚板受具（１）や棚板（２）が製造上のばらつきによって寸法が変動した場合にも、この出願の発明の棚板取付け構造によって、棚板（２）をがたつくことなく、棚板受具（１）に取付けることができることを例示している。
【００１５】
つまり、図３は、棚板（２）と棚板受具（１）との間の遊び（S）が標準的である場合での棚板（２）の取付け状態を例示した断面図であり、図４は、棚板（２）と棚板受具（１）との間の遊び（S）が最大である場合での棚板（２）の取付け状態を例示した断面図である。すなわち、図４においては、棚板（２）のテーパー部（２２）および棚板受具（１）の勾配部（１４）を当接させてスライドさせることによって、図３に比べて、棚板（２）の後端部（２１）を棚板受具（１）の挿入部（１１）の奥部まで挿入して取付ける。
【００１６】
また、図５は、棚板（２）と棚板受具（１）との間の遊び（S）が最小である場合での棚板（２）の取付け状態を例示した断面図である。すなわち、図５においては、棚板（２）のテーパー部（２２）および棚板受具（１）の勾配部（１４）を当接させてスライドさせることによって、図３に比べて、棚板（２）の後端部（２１）を棚板受具（１）の挿入部（１１）の前部まで挿入して取付けている。
【００１７】
この出願の発明の棚板取付け構造は、以上の例示によって限定されるものではない。たとえば、棚板受具（１）や棚板（２）等の各部材の大きさや形状、構造、材質等、その細部の形態において様々に可能であることは言うまでもない。
【産業上の利用可能性】
【００１８】
以上詳しく説明したとおり、この出願の発明によって、棚板をがたつくことなく取付けることのできる、新しい棚板取付け構造が提供される。
【図面の簡単な説明】
【００１９】
【図１】この出願の発明の一実施形態を模式的に例示した一部分解断面図である。
【図２】図１の実施形態を模式的に例示した一部分解全体斜視図である。
【図３】この出願の発明の一実施形態として、棚板と棚板受具との間の遊びが標準的である場合での棚板の取付け状態を例示した断面図である。
【図４】この出願の発明の別の実施形態として、棚板と棚板受具との間の遊びが最大である場合での棚板の取付け状態を例示した断面図である。
【図５】この出願の発明のさらに別の実施形態として、棚板と棚板受具との間の遊びが最小である場合での棚板の取付け状態を例示した断面図である。
【図６】従来の棚板と棚板受具との取付け構造を例示した断面図である。
【符号の説明】
【００２０】
１  棚板受具
１１  挿入部
１２  前面開口部
１３  奥部
１４  勾配部
２  棚板
２１  後端部
２２  テーパー部
２３  ブッシュ
３  壁面
４、５  ビス
６  エンドキャップ
S  遊び
ア  壁面
イ  ビス
ウ  棚板受具
エ  棚板
オ  前面開口部
カ  挿入部
キ  ビス
ク  遊び
【図１】
2005177216.tif 000003
【図２】
2005177216.tif 000004
【図３】
2005177216.tif 000005
【図４】
2005177216.tif 000006
【図５】
2005177216.tif 000007
【図６】
2005177216.tif 000008